(57)【要約】【課題】化学消臭剤は今までも多数市販化され効果も歩日向上してきています、しかしながら従来の消臭剤はどれも消耗品であるため不経済でありまた、使用後は汚物となって流してしまうので環境への負荷となっていました【解決手段】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチックの樹脂に練入されたものを、トイレ便器の水槽に入れて使用する悪臭臭防止ネット。【選択図】図５
2007237152.tif 000002
【特許請求の範囲】
【請求項１】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチックの樹脂に練入されたものを、トイレ便器の水槽に入れて使用することを特徴とする、悪臭臭防止ネットである。
【請求項２】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチックの樹脂に練入されたものを、既存のシャワーのヘッド部に丸めて入れて使用することを特徴とする、イオン水シャワー器である。
【請求項３】
少なくとも珪素酸化鉱物もしくは金属酸化鉱物又は、微量放射性鉱物を含む鉱物を粉体加工されたものをプラスチックの樹脂に練入され、厚さが１、５ミリ未満のシート状であって３ミリから１０ミリの格子状の穴があいている形状のものをバキューム車両の排気ダクト内に設置使用することを特徴とする悪臭防止ネットである。
【請求項４】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチックの樹脂に練入されたものを扇風機の裏保護ネットに取りつけて使用したり、エアコンの空気取り入れ口に挟んで使用することを特徴とする、空気清浄用ネットである。
【請求項５】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチックの樹脂に練入されたものをペットボトルや霧吹きの等のあらゆる水タンクに入れて使用することを特徴とする、イオン活性水ネットである。
【請求項６】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチックの樹脂に練入されたものを自動車の燃料挿入口の燃料パイプの内側に貼り付けたりエンジンの空気取り入れ口のエアーフィルターケースに挟んだり、灯油ヒーターのタンク等の各種タンクに入れて使うことを特徴とする燃料活性ネットである。
【請求項７】
少なくとも珪素酸化鉱物もしくは金属酸化鉱物又は、微量放射性鉱物を含む鉱物を粉体加工されたものを厚さが１．５ミリ未満のシート状であってプラスチック樹脂に練入されたものをペットや昆虫のゲージの床に引いて使うことを特徴とする消臭マッドである。
【請求項８】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチック樹脂に練入されたものを丸型又はドーナツ状にくりぬかれた円状に形状することを特徴とするキッチンの排水溝の汚物ネットに入れて使うことを特徴とする排水網の滑り取りネットである。
【請求項９】
少なくとも珪素酸化鉱物もしくは金属酸化鉱物又は、微量放射性鉱物を含む鉱物を粉体加工されたものを厚さが１．５ミリ未満のシート状であって３ミリから１０ミリの格子状の穴があいている形状のプラスチック樹脂に練入されたものをハエや蚊等の害虫を寄せにくくするために使用することを特徴とする防虫シートである。
【発明の詳細な説明】
【技術分野】
【０００１】本発明はトイレやお部屋の消臭や空気清浄器に関するものやシャワーの水や燃料のイオン化に関するものやシンクの排水口ヌメリ取りに関するのである。
【背景技術】
【０００２】化学消臭剤は今までも多数市販化され効果も歩日向上してきています。
【発明の開示】
【発明が解決しようとする課題】
【０００３】しかしながら従来の消臭剤はどれも消耗品であるため不経済でありまた、使用後は汚物となって流してしまうので環境への負荷となっていました。
【課題を解決するための手段】
【０００４】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチックの樹脂に練入されたものを、トイレ便器の水槽に入れて使用する悪臭臭防止ネットは本発明は成し、提供しようとするものである。【０００５】少なくとも珪素酸化鉱物もしくは金属酸化鉱物又は、微量放射性鉱物を含む鉱物を粉体加工されたものを厚さが１ミリ未満のシート状であって３ミリから１０ミリの格子状の穴があいている形状のプラスチックの樹脂に練入されたものを、既存のシャワーのヘッド部に入れて使用する、イオン水シャワー器を本発明は成し、提供しようとするものである【０００６】少なくとも珪素酸化鉱物もしくは金属酸化鉱物又は、微量放射性鉱物を含む鉱物を粉体加工されたものをプラスチックの樹脂に練入され、厚さが１、５ミリ未満のシート状であって３ミリから１０ミリの格子状の穴があいている形状のものをバキューム車両の排気ダクト内に設置使用する悪臭防止ネットを本発明は成し、提供しようとするものである【０００７】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチックの樹脂に練入されたものを扇風機の裏保護ネットに取りつけて使用したり、エアコンの空気取り入れ口に挟んで使用する空気清浄用ネットを本発明は成し、提供しようとするものである。【０００８】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチックの樹脂に練入されたものをペットボトルや霧吹きの等のあらゆる水タンクに入れて使用するイオン活性水ネットを本発明は成し、提供しようとするものである。【０００９】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチックの樹脂に練入されたものを自動車の燃料挿入口の燃料パイプの内側に貼り付けたりエンジンの空気取り入れ口のエアーフィルターケースに挟んだり、灯油ヒーターの燃料タンク等の各種タンクに入れて使う燃料活性ネットを本発明は成し、提供しようとするものである。【００１０】少なくとも珪素酸化鉱物もしくは金属酸化鉱物又は、微量放射性鉱物を含む鉱物を粉体加工されたものを厚さが１、５ミリ未満のシート状であってプラスチック樹脂に練入されたものをペットや昆虫のゲージの床に引いて使う消臭マッドを本発明は成し、提供しようとするものである。【００１１】少なくとも珪素酸化鉱物もしくは金属酸化鉱物又は、微量放射性鉱物を含む鉱物を粉体加工されたものを厚さが１、５ミリ未満のシート状であって３ミリから１０ミリの格子状の穴があいている形状のプラスチック樹脂に練入されたものを丸型又はドーナツ状にくりぬかれた円状に形状することを特徴とするキッチンの排水溝の汚物ネットに入れて使う排水ネットのヌメリ取りネットを本発明は成し、提供しようとするものである。【００１２】少なくとも珪素酸化鉱物もしくは金属酸化鉱物又は、微量放射性鉱物を含む鉱物を粉体加工されたものをプラスチック樹脂に練入されたものをハエや蚊等の害虫を寄せにくくするために使用する防虫シートを本発明は成し提供使用とする物である。
【実施例】
【００１３】図１に示すものは、ゼオライトと電気石と酸化チタンを１００ミクロン以下に粉体加工されたものを厚さ１ミリのシート状であって３ミリの格子状の穴があいている、３０センチ×６０センチのポリプロピレン樹脂に練入されたシート状５のものを、トイレ便器６の水槽１の水に浸すように外周に入れて使用するものである。【００１４】また、図３では、ゼオライトと電気石と酸化チタンを１００ミクロン以下に粉体加工されたものを厚さが１ミリのシート状であって３ミリの格子状の穴があいている１０センチ×１０センチの板形状のポリプロピレン樹脂４４に練入されたものを、既存のシャワーのホースとシャワーヘッド部の中間にある取りつけ金具を開けてヘッド部４０に前記樹脂ネットを丸めて入れて使用するものである。【００１５】また、図５では、ゼオライトと電気石と酸化チタンを１００ミクロン以下に粉体加工されたものをポリプロピレン樹脂に練入され、厚さが１ミリのシート状であって３ミリの格子状の穴があいていて５０センチ×１６０センチのシート形状のものをバキューム車両の排気ダクト６３内に設置使用する悪臭防止ネット６０である。【００１６】また、ゼオライトと電気石と酸化チタンを１００ミクロン以下に粉体加工されたものを厚さが１ミリ未満のシート状であって３ミリの格子状の穴があいている形状のポリプロピレン樹脂に練入されたものを扇風機の裏保護ネットに取りつけて使用したり、エアコンの空気取り入れ口に挟んで使用する空気清浄用ネットである。【００１７】また、ゼオライトと電気石と酸化チタンを１００ミクロン以下に粉体加工されたものを厚さが１ミリ未満のシート状であって３ミリの格子状の穴があいている形状のポリプロピレン樹脂に練入されたものをペットボトルや霧吹きの等のあらゆる水タンクに入れて使用する、イオン活性水ネットである。【００１８】また、図２では、ゼオライトと電気石と酸化チタンを１００ミクロン以下に粉体加工されたものを厚さが１ミリ未満のシート状であって３ミリの格子状の穴があいている形状のポリプロピレン樹脂に練入されたものを３０自動車の燃料挿入口２５の燃料パイプの内側に貼り付けたり、エンジンの空気取入口のエアーフィルターケース１９のなかのエアーフィルター２０との間に挟むものである。【００１９】また、ゼオライトと電気石と酸化チタンを１００ミクロン以下に粉体加工されたものを厚さが１ミリのポリプロピレン樹脂に練入されたシート状のものをペットや昆虫のゲージの床に敷いて使う消臭マッドである。【００２０】また、図４では、ゼオライトと電気石と酸化チタンを１００ミクロン以下に粉体加工されたものを厚さが１ミリ未満のシート状であって３ミリの格子状の穴があいている形状のポリプロピレン樹脂に練入されたものを丸型５０や、ドーナツ状５１にくりぬかれた円状のものキッチン５５の排水口５４の汚物ネット５２の下に敷いて使う排水ネットのヌメリ取りネットである。【００２１】また、少なくとも珪素酸化鉱物もしくは金属酸化鉱物又は、微量放射性鉱物を含む鉱物を粉体加工されたものをプラスチック樹脂に練入されたものをハエや蚊等の害虫を寄せにくくするために使用する防虫シートである。
【産業上の利用可能性】
【００２２】本発明にかかわる産業上の利用可能性は悪臭を想定されるバキューム車輌や廃棄物中間処分場や喫煙室やトイレ等の対応が可能である、また燃料や水のイオン化への対応が可能である。
【図面の簡単な説明】
【００２３】
【図１】図１は本発明にかかわるトイレ便器を示す側面の断面図である。
【図２】図２は本発明にかかわる自動車のエンジン・燃料タンク・エアークリーナーを示す概略断面図である。
【図３】図３は本発明にかかわるシャワーヘッドを示す概略断面図である
【図４】図４は本発明にかかわるシンクの排水口を示す側面の断面図であり、ａ及びｂはヌメリ取りネットを示す正面図である。
【図５】図５は本発明にかかわるバキューム車両の概略構成図であり、ａは消臭器の概略断面図である
【符号の説明】
【００２４】１    便器水槽
２    便器蓋
３    便座
４    フロート
５    消臭ネット
１１  点火プラグ
１２  吸入バルブ
１３  排気バルブ
１７  吸入官
１９  エアーフィルターケース
２０  エアーフィルター
２１  燃料タンク
２２  燃料
２４  ストレーナー
２６  ドレーン
３０  イオンネット
４０  シャワーヘッド
４１  出口網
４３  ホース取り付け金具
４４  イオン水交換ネット
４５  ホース
５０  ヌメリ取りネット
５１  ヌメリ取りネット
５２  汚物網
５３  排水管
５４  排水口ゴム
５５  シンク底面
６０  消臭ネット
６１  排気官
６２  吸入官
６３  消臭器ケース
６４  バキュームタンク
６５  運転席
６６  前輪
６７  後輪
【図１】
2007237152.tif 000003
【図２】
2007237152.tif 000004
【図３】
2007237152.tif 000005
【図４】
2007237152.tif 000006
【図５】
2007237152.tif 000007